(57)【特許請求の範囲】
【請求項１】
冷凍ケーシング上部にフランジが設けられており、該フランジの下方且つ前記冷凍ケーシングの外周部に、水滴の落下及び水分の浸入を防止する露受皿が配設されたオーガ式製氷機において、前記露受皿は、中央に前記冷凍ケーシングが貫通可能な穴を有する皿状の形状として、弾力性のある軟質材料から一体成形され、前記穴を変形させることにより前記フランジを乗り越えて冷凍ケーシングの外周に挿通させて固定されていることを特徴とするオーガ式製氷機。
【請求項２】
前記露受皿は、中央の円形水平面部に冷凍ケーシング貫挿用の穴が設けられ、この円形水平面部を断面Ｕ字状の溝が取り囲むように形成されていることを特徴とする請求項１に記載のオーガ式製氷機。
【請求項３】
前記断面Ｕ字状の溝の底面が一方向に傾斜して形成され、該底面の最深部にドレン排水口を設けたことを特徴とする請求項２に記載のオーガ式製氷機。
【請求項４】
前記露受皿は、その中央の円形水平面部が該露受皿下方の冷凍ケーシング外周に形成された発泡断熱材層により前記フランジに密着された状態で、冷凍ケーシングに固定されていることを特徴とする請求項１〜３の何れか１項に記載のオーガ式製氷機。
【発明の詳細な説明】
【０００１】
【発明の属する技術分野】
本発明は、オーガ式製氷機に関し、特に製氷に伴って生じた水滴の落下及び水分の浸入を防止する露受皿に関するものである。
【０００２】
【従来の技術】
図６は、実公昭６１−３２３０９号公報に開示されたオーガ式製氷機の要部断面図である。筒状の部材である冷凍ケーシング１２１の外壁面には、冷却系の一部を構成する冷却パイプ等の冷却部材１３０が巻き付けられている。冷却部材１３０及び冷凍ケーシング１２１の外周には、断熱材１２６が配設されている。
冷凍ケーシング１２１の内部には、螺旋刃１４４が外周に形成されたスクリュウ１４０（本願でいうオーガ）が回転可能に配設されている。更に、冷凍ケーシング１２１の上部内側には、押圧頭１５０が配設されている。押圧頭１５０は、冷凍ケーシング１２１の上部を貫通するボルト等の締結具１５２により固定されている。押圧頭１５０の上には、放出部１６０が取り付けられている。この取り付けは、冷凍ケーシング１２１上部に形成された放出部連結用のフランジ１２７と、放出部１６０下端に形成された冷凍ケーシング連結用のフランジ１６３との連結による。押圧頭１５０と放出部１６０との間には、カッタ１６２が配設されている。
【０００３】
また、締結具１５２と断熱材１２６との間には、露受皿１７０が配設されている。露受皿１７０は、冷凍ケーシング１２１が貫通可能な穴を有する環状の皿であって、プレス加工により成形された金属製品である。露受皿１７０の底部には、流下した水滴を排出するための排水口１７４が設けられ、排水ホース１７５の一端が接続されている。露受皿１７０の中央の穴の形成部と冷凍ケーシング１２１との間には、密封を確実にするためのシール材すなわちコーキング材１７６が設けられている。
【０００４】
製氷運転が開始されると、冷凍ケーシング１２１内に供給された製氷水は、冷却部材１３０内を循環する冷媒によって冷却され、冷凍ケーシング１２１内面に、薄氷層が形成される。この薄氷層は、スクリュウ１４０によって削り取られ、押圧頭１５０において圧縮されて柱状氷となる。更に、柱状氷は、押圧頭１５０の上方でカッタ１６２によって適当な大きさに切断され、放出部１６０によって図示しない貯氷庫に送られる。かかる製氷運転中には、例えば締結具１５２と冷凍ケーシング１２１との隙間から製氷水が漏れたり、また、押圧頭１５０を囲む冷凍ケーシング１２１の外壁や放出部１６０の外面に、通過する氷により冷却されて露が生じることがあった。かかる水滴や露は、何の対策も講じられていない場合には、冷凍ケーシング１２１と断熱材１２６との間に浸入したり、図示しない駆動モータ等に落下する恐れがあるが、本従来技術におけるオーガ式製氷機では、露受皿１７０が設けられているので、該露受皿１７０で集められて排水口１７４及び排水ホース１７５を介して排水される。
【０００５】
上述したオーガ式製氷機において、露受皿１７０の取り付けは以下の手順で行われる。
（ａ）冷凍ケーシング１２１の外周に冷却部材１３０をハンダ付けする。
（ｂ）冷凍ケーシング１２１に露受皿１７０を通しておく。
（ｃ）冷凍ケーシング１２１の上部に上述した放出部連結用のフランジ１２７を溶接する。
（ｄ）冷凍ケーシング１２１の内面をボーリング加工し、更にホーニング加工して仕上げる。
（ｅ）冷凍ケーシング１２１及び冷却部材１３０の周囲に、発泡成形により断熱材１２６を設ける
（ｆ）露受皿１７０の穴の形成部と冷凍ケーシング１２１との間にコーキング材１６７を設ける。
ここで、かかる手順において、ハンダ付け及び溶接等（ａ〜ｃ）が終わった後に、ボーリング及びホーニング加工（ｄ）を行うのは、ハンダ付けや溶接により冷凍ケーシング１２１が歪んでしまうことがあり、最後に所望の穴径に整える必要があるからであった。
【０００６】
【発明が解決しようとする課題】
しかし、プレス加工された金属製の露受皿１７０は、上述したようにボーリング及びホーニング加工中は冷凍ケーシング１２１に通されているだけで、その位置が定まらず回動したりスライドしたりして動き回るので、上記機械加工の作業中や、押圧頭の締結具の取り付け或いはサービス等において、作業者にとって不都合であった。
また、発泡終了後に露受皿と冷凍ケーシングの隙間に水が浸入するのを防止するためにコーキング材が必要であり、コスト増大の要因になっていた。
本発明は、かかる問題を解決するためのものであって、冷凍ケーシングのボーリング及びホーニング加工等の機械加工が終了した後に、該冷凍ケーシングに露受皿を取り付けることが可能なオーガ式製氷機を提供することを目的とする。
【０００７】
【課題を解決するための手段】
請求項１に記載された発明は、冷凍ケーシング上部にフランジが設けられており、該フランジの下方且つ前記冷凍ケーシングの外周部に、水滴の落下及び水分の浸入を防止する露受皿が配設されたオーガ式製氷機において、前記露受皿は、中央に前記冷凍ケーシングが貫通可能な穴を有する皿状の形状として、弾力性のある軟質材料から一体成形され、前記穴を変形させることにより前記フランジを乗り越えて冷凍ケーシングの外周に挿通させて固定されていることを特徴とする。
請求項２に記載された発明では、前記露受皿は、中央の円形水平面部に冷凍ケーシング貫挿用の穴が設けられ、この円形水平面部を断面Ｕ字状の溝が取り囲むように形成されていることを特徴とする。
請求項３に記載された発明では、前記断面Ｕ字状の溝の底面が一方向に傾斜して形成され、該底面の最深部にドレン排水口を設けたことを特徴とする。
請求項４に記載された発明では、請求項１〜３の何れか１項に記載のオーガ式製氷機において、前記露受皿は、その中央の円形水平面部が該露受皿下方の冷凍ケーシング外周に形成された発泡断熱材層により前記フランジに密着された状態で、冷凍ケーシングに固定されていることを特徴とする。
【０００８】
請求項１に記載の発明においては、冷凍ケーシングにフランジを溶接し、冷凍ケーシングの内面をボーリング加工し、更にホーニング加工した後に、弾力性のある軟質材料からなる露受皿に外力を付与して中央の穴を変形させて、フランジ上方から同フランジを乗り越えさせて、露受皿を冷凍ケーシングに取り付けることができる。したがって、上記ボーリング加工等の機械加工中には露受皿を冷凍ケーシングに挿通しておく必要はなく、露受皿が動いて作業者の不都合となる問題は生じない。
請求項２に記載の発明においては、製氷運転に伴って生じた露は、断面Ｕ字状の溝に集められるので、露が集めやすく且つ露受皿の外に零れることがない。
請求項３に記載の発明においては、断面Ｕ字状の溝に集められた露は、底面の傾斜にしたがって下方に流れ、最深部に設けられた排水口から容易に且つ確実に排水される。
請求項４に記載の発明において、フランジの下方に位置する露受皿は、発泡断熱材層を形成する際に、上向きの発泡圧力によってフランジに押し付けられ密着する。このため、露受皿とフランジとの間にコーキング材等のシール材を設けなくても、露受皿とフランジとの間に露が浸入したり、フランジ下面に露が生じたりする恐れがない。
【０００９】
【発明の実施の形態】
以下、本発明の実施の形態を図１〜図５に基づいて詳細に説明する。
図１に示されるオーガ式製氷機においては、駆動機構部１０上に製氷機構部２０とオーガ４０、押圧頭５０、案内筒６０等が組み付けられ、更に、押圧頭５０の下方には露受皿７０が配設されている。
駆動機構部１０は、ハウジング１１内に減速歯車が収納され、該減速歯車により駆動モータ１２の回転が減速されて駆動軸１３に伝達される。尚、オーガ４０の小径軸部４３は、内径スプラインが切られており、駆動軸１３に連結されている。
【００１０】
製氷機構部２０は、ハウジング１１上に駆動軸１３と同軸的に組み付けられた中空筒状のステンレス製の冷凍ケーシング２１と、冷凍ケーシング２１の外周に配設された蒸発器３０と、この蒸発器３０の外周に設けられた断熱材２６等からなる。
蒸発器３０は、図示しない圧縮機、凝縮器、膨張弁等ともに、慣用的な冷凍回路を構成している。冷凍ケーシング２１の下部には、駆動機構部連結用のフランジ２２が溶着されており、冷凍ケーシング２１は、該フランジ２２においてボルト２４によって駆動機構部１０に連結されている。
冷凍ケーシング２１の内部には、オーガ４０が配設されている。オーガ４０は、大径軸部４１、及びその上下両端部に形成された小径軸部４２、４３から構成され、大径軸部４１の外周には螺旋刃４４が一体的に形成されている。上方の小径軸部４２は、押圧頭５０の軸心部の孔に嵌入固定された軸受５３にて回転自在に軸支されている。
【００１１】
押圧頭５０は、上記の如くオーガ４０の上方部に配設されたものであって、冷凍ケーシング２１の内壁に氷結しオーガ４０により削り取られて搬出される氷を圧縮固化するものである。押圧頭５０の下端には、冷凍ケーシング連結用のフランジ５１が形成されている。押圧頭５０は、該フランジ５１と、冷凍ケーシング２１の上端に溶着された押圧頭連結用のフランジ２３とをボルト２５によって締結することで、冷凍ケーシング２１に接合される。押圧頭５０の内部には、氷を圧縮固化するための氷圧縮通路５２が形成されている。また、押圧頭５０の軸心部の孔には、前述の軸受５３が圧入固定されている。
【００１２】
案内筒６０は、押圧頭５０から放出される圧縮固化氷を図示しない貯氷庫に搬送すべく案内するもので、Ｌ字型の放出通路６１を有しており、該放出通路６１の下端部が押圧頭５０の上端部に嵌合固定されている。
また、放出通路６１の入口側内部には、押圧頭５０の氷圧縮通路５２から棒状で放出される圧縮固化氷を折って所定形状の氷とするためのカッタ６２が、前記オーガ４０の小径軸部４２の上端面に取り付けられ、該オーガ４０と一体回転するように設置されている。
【００１３】
次に、押圧頭５０の下方に設けられる露受皿７０について図２及び図３に基づき説明する。尚、図２は、露受皿７０の平面図、図３は、図２のＩＩＩ−ＩＩＩ線による断面図である。露受皿７０は、中央に冷凍ケーシング２１が貫通可能な穴７３を有し、これを断面Ｕ字状の溝７１が取り囲むように形成されている。即ち、前記穴７３は、ドーナツ形水平部７２の中央に設けられ、該ドーナツ形水平部７２の周囲に断面Ｕ字状、外周は半円形と四角形とを結合したような形状の溝７１が形成されており、全体形状としては中央に穴７３を有する皿形に構成されている。また、断面Ｕ字状の底面７１ａは、全体として円形部側に傾斜し、その最深部にドレン排水口７４が設けられている。
上記露受皿７０は、弾力性のある軟質材料、例えばエチレンプロピレンゴムから形成されている。したがって、水平部７２に外力を付加している間は、穴７３を変形し、拡げることができ、外力を取り除くと元の形状に戻るようになっている。
【００１４】
更に、かかる構造の露受皿７０の取り付けを含む製作過程を図４及び図５に基づいて説明する。まず、冷凍ケーシング２１の外周に、蒸発器３０をハンダ付けし、駆動機構部連結用のフランジ２２、押圧頭連結用のフランジ２３、更に図示しない給水管等を溶接により接続する。次に、冷凍ケーシング２１の内面をボーリング加工し、更にホーニング加工を施して仕上げる。このとき、冷凍ケーシング２１には露受皿７０がまだ取り付けられていないため、かかる機械加工時に、従来のように露受皿７０が動いて作業に危険が伴うといった問題は生じない。ボーリング加工及びホーニング加工が完了した後、蒸発器３０及びフランジ２２，２３等が取り付けられた冷凍ケーシング２１を洗浄する。図４は、ここまで終了し、更に露受皿７０を取り付ける工程を示すものである。
【００１５】
蒸発器３０及びフランジ２２，２３等が取り付けられた冷凍ケーシング２１の洗浄が完了したら、以下のようにして冷凍ケーシング２１に露受皿７０を取り付ける。上述したように、露受皿７０は、弾力性のある軟質材料から形成されているため、水平部７２に適当な力を加え、穴７３を変形、拡大させておく。そして、変形、拡大させた穴７３に冷凍ケーシング２１の押圧頭連結用のフランジ２３を通す。すなわち、図４の点線矢印に示されるように、穴７３が変形、拡大させられた水平部７２がフランジ２３を乗り越えるようにして、露受皿７０をフランジ２３の上方から下方へと移動させる。そして、フランジ２３の下方において、露受皿７０が冷凍ケーシング２１外周に挿通されている状態で、水平部７２に付与していた力を取り除くと、弾性力によって穴７３が元々の形状に戻る。
【００１６】
次に、フランジ２３の下方に露受皿７０が挿通された状態の冷凍ケーシング２１の周囲に、図示しない発泡用の型を配設しておき、図５に示されるように、冷凍ケーシング２１及び蒸発器３０の周りに断熱材２６を設ける。このとき、断熱材２６は、発泡させて形成されるため、露受皿７０の水平部７２の下面には、断熱材２６の発泡圧力Ｐが上向きに作用する（図５の実線矢印参照）。したがって、露受皿７０の水平部７２の上面は、フランジ２３の下面に対してほぼ気密に密着され、水平部７２とフランジ２３との間にコーキング材等のシール材を設けなくても、水平部７２とフランジ２３との間に露が浸入したり、フランジ２３下面に露が生じたりする恐れがない。
【００１７】
次に、以上に説明したオーガ式製氷機の動作について説明する。製氷運転が始まると、冷凍ケーシング２１内には、図示しない給水系統から製氷水が供給される。冷凍ケーシング２１内の製氷水は、外周に巻装された蒸発器３０によって熱が奪われ冷凍ケーシング２１の内面に徐々に氷結していく。そして、冷凍ケーシング２１の内面に氷結した氷は、ギヤードモータ１２によって回転するオーガ４０の螺旋刃４４によって同内面から掻き取られ、シャーベット状の氷となって上方に送られる。冷凍ケーシング２１内を上昇したシャーベット状の氷は、押圧頭５０の氷圧縮通路５２内に入り、そこを通過する際に所定硬度の氷質に圧縮される。こうして圧縮された氷は、引き続き氷圧縮通路５２内に入ってくる氷に押されて、氷圧縮通路５２の上方へと移動する。氷圧縮通路５２の上方には、カッタ６２が設けられているため、氷圧縮通路５２で圧縮された氷は、このカッタ６２によって所望の大きさに切断される。適当な大きさに切断された氷は、放出通路６１を通って図示しない貯氷庫に案内される。
【００１８】
かかる製氷運転中、押圧頭５０及び放出通路６１の外面には、通過する氷によって冷やされ、露が生じることがある。発生した露は、やがて水滴に成長し下方の露受皿７０に落下又は流下する。落下又は流下する露は、露受皿７０に受けられるようになっているが、このとき、露受皿７０は、断面Ｕ字状の溝７１が中央の穴７３を取り囲むように皿状に形成されているため、露が集めやすくなっており、しかも、露受皿７０上に落下した露は、外に零れることがない。また、露受皿７０に落下又は流下する露は、水平部７２とフランジ２３との間が発泡圧力Ｐによってほぼ気密に密着されているため、水平部７２とフランジ２３との間に浸入することはない。
【００１９】
露受皿７０内にある露は、傾斜した底面７１ａに従ってその下方へ向かって自然と流れ、最深部に設けられた排水口７４から図示しない排水管を介して排水される。したがって、底面７１ａ上の露は、容易に排水されやすくなっており、所定の位置から確実な排水が可能となる。
【００２０】
【発明の効果】
本発明は以上の様に構成されているため、次の様な効果を奏する。
請求項１に記載の発明によれば、露受皿は、中央に前記冷凍ケーシングが貫通可能な穴を有する皿状の形状として、弾力性のある軟質材料から一体成形され、前記穴を変形させることにより前記フランジを乗り越えて冷凍ケーシングの外周に挿通させて固定されているので、冷凍ケーシングへの部品の溶接やハンダ付けを行い冷凍ケーシングの機械加工が終了した後に、露受皿を取り付けることが可能となる。したがって、機械加工の最中に露受皿が動いて作業に不都合が生じるといった問題もない。
請求項２に記載の発明によれば、前記露受皿は、中央の円形水平面部に冷凍ケーシング貫挿用の穴が設けられ、この円形水平面部を断面Ｕ字状の溝が取り囲むように形成されているので、露が集めやすくなっており、しかも、集められた露は、露受皿の外に零れることがない。
請求項３に記載の発明によれば、前記断面Ｕ字状の溝の底面が一方向に傾斜して形成され、該底面の最深部にドレン排水口が設けられているので、露受皿に集められた露は、傾斜の下方に向かって流れ、最深部に設けられた排水口から確実かつ容易に排水される。また、排水口という所定の位置からのみ排水されるようになる。
請求項４に記載の発明によれば、前記露受皿は、該露受皿下方の冷凍ケーシング外周に形成された発泡断熱材層により前記フランジに密着された状態で、冷凍ケーシングに固定されているので、露受皿は、上向きの発泡圧力によって、押圧頭との連結用に形成されたフランジに密着される。したがって、露受皿とフランジとの間にコーキング材等のシール材を設けなくても、露受皿とフランジとの間に露が浸入したり、フランジ下面に露が生じたりする恐れがない。
【図面の簡単な説明】
【図１】  本実施の形態に係るオーガ式製氷機の縦断面図である。
【図２】  露受皿の平面図である。
【図３】  図２のＩＩＩ−ＩＩＩ線による断面図である。
【図４】  冷凍ケーシングに蒸発器のハンダ付け及びフランジ等の溶接を行い、ボーリング加工及びホーニング加工をし、更に洗浄した後、露受皿を取り付ける工程を示す図である。
【図５】  冷凍ケーシングの外周に断熱材を発泡させて形成した状態を示す図である。
【図６】  従来のオーガ式製氷機要部の拡大図である。
【符号の説明】
２１…冷凍ケーシング、２３…フランジ、２６…断熱材（発泡断熱材層）、５０…押圧頭、７０…露受皿、７１…溝、７１ａ…底面、７２…水平部、７３…穴、７４…排水口。
【図１】
0003907080.tif 000002
【図２】
0003907080.tif 000003
【図３】
0003907080.tif 000004
【図４】
0003907080.tif 000005
【図５】
0003907080.tif 000006
【図６】
0003907080.tif 000007